(57)【特許請求の範囲】
【請求項１】
前側ケースと後側ケースとを接続させてなる電子機器筐体において、
前記前側ケースと前記後側ケースの夫々のケース側面に形成された被係止部と、
前記被係止部と係合され、前記前側ケースと前記後側ケースとを衝合させて形成された衝合ラインを被装するように、該前側ケースと該後側ケースとを接続させる係止部材とを備え、
前記係止部材は、正面視Ｃ字状または正面視コ字状に形成されると共に、その内側にはボス状の係止凸部が形成され、対向する先端部双方の内側からは外方に向かって突出された係止爪が垂設され、
前記被係止部は、前記係止爪を挿入させる係止孔と、該係止爪と係合される凹部と、前記係止凸部と係合され前記係止部材の前記衝合ラインに沿ったスライドに従って前側ケースと後側ケースとを引き寄せるスライド溝とを備えてなり、
前記係止部材を前記衝合ラインに沿ってスライドさせることで、前記前側ケースと前記後側ケースとが接続されるように形設されていることを特徴とする電子機器筐体。
【請求項２】
前記前側ケースと前記後側ケースとが、該前側ケースと該後側ケースとに一体に成形されたヒンジを介して接続されてなることを特徴とする請求項１に記載の電子機器筐体。
【請求項３】
前記係止部材は、少なくとも前記ヒンジが設けられた側のケース外面を被装させることを特徴とする請求項２記載の電子機器筐体。
【請求項４】
前記前側ケースと前記後側ケースとの閉状態を維持させて仮止めさせる仮固定部を備えていることを特徴とする請求項１〜３の何れかに記載の電子機器筐体。
【請求項５】
前記前側ケースと前記後側ケースとの衝合面に挟装されると共に、当該電子機器筐体に設けられた外部機器との接続端子用孔の周囲を取り囲むように形成されたシール部材を備えていることを特徴とする請求項１〜４の何れかに記載の電子機器筐体。
【請求項６】
前記接続端子用孔は、前記衝合ライン上に形成されていることを特徴とする請求項５記載の電子機器筐体。
【発明の詳細な説明】
【技術分野】
【０００１】
本発明は、前側ケースと後側ケースとを接続させて構成された電子機器筐体に関する。
【背景技術】
【０００２】
従来より、前側ケースと後側ケースとを接続させて構成された電子機器筐体がある。
この前側ケースと後側ケースとの接続は、ビスを用いた接続が一般的であるが、他の例として、例えば、ケースの両側壁内側にスライドを有する係合リブを設け、カバーにスライド溝と係合する係合爪を設けて、このケースとカバーとの結合及び分離ができるようにした電子機器筐体（特許文献１参照）や、ヒンジ機構を介してケースとカバーを開閉可能に連結した携帯用電子機器の筐体構造（特許文献２参照）が挙げられる。
【特許文献１】特開平８−１３０３８２号公報（第１頁、図１）
【特許文献２】特開平９−６３５５４号公報（第１頁、図１）
【発明の開示】
【発明が解決しようとする課題】
【０００３】
しかしながら、上記した何れの筐体も下記の問題点を有する。
まず、前者の電子機器筐体は、係合リブ係合爪を設けて、ケースとカバーとの結合及び分離ができるようにしてあるものの、最終的にはネジによって固定しているため、組立に手間が必要になっていた。
【０００４】
また、後者の携帯用電子機器の筐体構造は、ヒンジ機構を介してケースとカバーを開閉可能に連結しているものの、このものも最終的には六角穴付きネジによる固定を行っているため、上記と同様に組立に手間が必要になっていた。
【０００５】
さらに上記した何れの電子機器筐体も、前側と後側の計２個以上に分割されている。したがって、成形、二次加工（塗装・印刷等）、搬入搬出等、管理取扱いを、分割部品ごとに行う必要があった。
【０００６】
そこで本発明は、このような状況に鑑みてなされたものであり、上記問題点を解決できる電子機器筐体及びケース接続方法を提供することを目的とする。
【課題を解決するための手段】
【０００７】
上記技術課題を達成するために、本発明にかかる電子機器筐体及びケース接続方法は、下記の技術的手段を講じた。
すなわち、請求項１にかかる電子機器筐体は、前側ケースと後側ケースとを接続させてなる電子機器筐体において、前記前側ケースと前記後側ケースの夫々のケース側面に形成された被係止部と、前記被係止部と係合され、前記前側ケースと前記後側ケースとを衝合させて形成された衝合ラインを被装するように、該前側ケースと該後側ケースとを接続させる係止部材とを備え、前記係止部材は、正面視Ｃ字状または正面視コ字状に形成されると共に、その内側にはボス状の係止凸部が形成され、対向する先端部双方の内側からは外方に向かって突出された係止爪が垂設され、前記被係止部は、前記係止爪を挿入させる係止孔と、該係止爪と係合される凹部と、前記係止凸部と係合され前記係止部材の前記衝合ラインに沿ったスライドに従って前側ケースと後側ケースとを引き寄せるスライド溝とを備えてなり、前記係止部材を前記衝合ラインに沿ってスライドさせることで、前記前側ケースと前記後側ケースとが接続されるように形設されていることを特徴とする。
請求項２にかかる電子機器筐体は、請求項１において、前記前側ケースと前記後側ケースとが、該前側ケースと該後側ケースとに一体に成形されたヒンジを介して接続されてなることを特徴とする。
請求項３にかかる電子機器筐体は、請求項２において、前記係止部材は、少なくとも前記ヒンジが設けられた側のケース外面を被装させることを特徴とする。
請求項４にかかる電子機器筐体は、請求項１〜３の何れかにおいて、前記前側ケースと前記後側ケースとの閉状態を維持させて仮止めさせる仮固定部を備えていることを特徴とする。
請求項５にかかる電子機器筐体は、請求項１〜４の何れかにおいて、前記前側ケースと前記後側ケースとの衝合面に挟装されると共に、当該電子機器筐体に設けられた外部機器との接続端子用孔の周囲を取り囲むように形成されたシール部材を備えていることを特徴とする。
請求項６にかかる電子機器筐体は、請求項５において、前記接続端子用孔は、前記衝合ライン上に形成されていることを特徴とする。
【発明の効果】
【０００８】
本発明によれば、前側ケースと後側ケースの夫々のケース側面に被係止部を形成し、この被係止部と係合可能な係止部材で、前側ケースと後側ケースとを衝合して形成した衝合ラインを被装するように接続する構成にして、ネジを用いることなく筐体の組み立てを可能にしたから、組立の手間を大幅に減少することができる。
【０００９】
しかも、前側ケースと後側ケースとが、これらと一体に成形されたヒンジを介して接続したことで、成形、二次加工（塗装・印刷等）、搬入搬出等、管理取扱いの手間を少なくすることができる。
【発明を実施するための最良の形態】
【００１０】
次に、本発明を実施するための最良の形態を、図面を参照して具体的に説明する。なお、図１〜図１４は実施の形態１を、図１５〜図１７は実施の形態２を例示している。
【００１１】
（実施の形態１）
実施の形態１にかかる電子機器筐体１は、音楽コンテンツが記録されるHDDや半導体メモリ等の記録媒体を備えたミュージックプレイヤーAの筐体に適用したものが例示されている。
【００１２】
このミュージックプレイヤーAは、図１〜図４に示すように、外観形状が略直方体状に構成されており、その正面には、プレイボタンやストップボタン等の各各操作ボタンａ１とミュージックプレイヤーAとしての様々な情報が表示される液晶表示部ａ２とが配設されている。また平面（上面）には、スライドボタンａ３（電源スイッチ）とヘッドホン端子ａ４とが配設され、さらに底面には、パーソナルコンピューターとの接続端子であるＵＳＢ端子ａ５とオーディオ装置やマイクとの接続端子であるライン入力端子ａ６とが配設されている。
【００１３】
このように構成されたミュージックプレイヤーAの電子機器筐体１は、ケース本体２と、係止部材３とを備えて構成されている。
【００１４】
ケース本体２は、合成樹脂部材で構成され、ケース本体２の厚さ略半分の厚さからなる矩形容器状の前側ケース２１と、この前側ケース２１と同じくケース本体２の厚さ略半分の厚さからなる矩形容器状の後側ケース２２とが、図５に示すように、双方のケース一側面の上縁部同士を結ぶように一体成形されたヒンジ２３を介して一体に接続されている。
【００１５】
すなわち、このケース本体２は、ピン等の他の構成部材を用いずに、前側ケース２１と後側ケース２２とヒンジ２３とが合成樹脂部材で一体成形されており、薄肉で形成されたヒンジ２３を折り曲げることによって開閉できるようになっている。
【００１６】
また、この前側ケース２１と後側ケース２２との衝合面（縁の部分）は、図５及び図８に示すように、前側ケース２１に設けた凹状段差面２１ａと、後側ケース２２に設けた凸状段差面２２ａが形成されており、ヒンジ２３を折り曲げて前側ケース２１と後側ケース２２とを閉じた際、これらが嵌合されることで、ヒンジ２３の弾性変形によって元に戻ろうとする（開こうとする）力を抑制している。
【００１７】
また、正面と背面夫々の周縁部（コーナー部）は、図６〜図１０に示すように面取り形成されているが、前側ケース２１と後側ケース２２とで形成されるケース側面のうち、後述する係止孔２ｄ（両側面に対向して設けられている）の底部から上方の側面及び平面は、その面取り部分から所要深さ凹ませたガイド凹部２ａが形成されている。このガイド凹部２ａは、後述する係止部材３をスライドさせる際のガイドとなる。
【００１８】
また、この前側ケース２１と後側ケース２２のヒンジ２３側の内側面と、この内側面と対向した内側面に、ヒンジ２３を折り曲げて前側ケース２１と後側ケース２２との閉じた際、その閉状態を維持させると共に、ケース本体２内に実装されるプリント基板W（図１７参照）を挟持させるリブが設けられている。
【００１９】
このリブは、前側ケース２１側に所定間隔をおいてこの前側ケース２１より突出するように形成された第１リブ２１ｂと、後側ケース２２側にその第１リブ２１ｂと対応した位置に後側ケース２２内に形成されプリント基板Wの縁部を受ける段差が形成された第２リブ２２ｂとで構成されている。
【００２０】
そして、ヒンジ２３を折り曲げて前側ケース２１と後側ケース２２とを閉じた際、第１リブ２１ｂの先部と、第２リブ２２ｂの先部とで、ケース本体２内に実装されたプリント基板を挟持させると共に、第１リブ２１ｂが後側ケース２２の内側面に僅かに付勢するように当接してヒンジ２３の弾性変形によって元に戻ろうとする（開こうとする）力を抑制している（図１７参照）。なお、プリント基板は、第１リブ２１ｂと第２リブ２２ｂのみで固定しても良いが、適宜ビスなどで固定しても良い。
【００２１】
上記した凹状段差面２１ａと凸状段差面２２ａとの係合、及び、この第１リブ２１ｂによって、前側ケースと後側ケースとの閉状態を維持させて仮止めさせる仮固定部が構成される。
【００２２】
さらに、このケース本体２は、図６〜図１０に示すような被係止部を備えている。この被係止部は、矩形状孔２ｂと、スライド溝２ｃと、係止孔２ｄと、凹部２ｅとを備えてなる。
【００２３】
矩形状孔２ｂは、図６及び図９に示すように、前側ケース２１と後側ケース２２の夫々の平面に、中心を境に左右対称となる位置に、かつ、前側ケース２１と後側ケース２２夫々の厚さの略半分となる位置でもって３箇所（計６箇所）に設けられてなる。
【００２４】
スライド溝２ｃは、図１０に示すように、内側に向かって延出された幅広状の上部と、幅狭の下部とが、下方に向かって外方に傾斜された傾斜部で連続するように略矩形長孔状に形成され、面取り部分に隣接したガイド凹部２ａ内に、かつ、夫々の両側面の略中心と上部の２個所（計４個所）に設けられている。
【００２５】
係止孔２ｄは、前側ケース２１と後側ケース２２の夫々の両側面にテーパ状に形成された縁部（コーナー部）内側に近接するように、かつ、夫々の両側面の下部に形成された略矩形長孔状に形成されてなる。
【００２６】
凹部２ｅは、図１３及び図１４に示すように、上記したガイド凹部２ａの起点である係止孔２ｄの底部とコーナーを介して連続するケース内側面と、ケース内底面とを結ぶコーナー部分のうち、ケース内底面と平面状に連続するようにケース内側面側が凹設されて形成されている。
【００２７】
係止部材３は、合成樹脂部材で構成され、図１１に示すように、ガイド凹部２ａに係合されるように正面視略コ字状に形成されると共に、図１２に示すように、後述する係止爪３ｃの配設位置を除いた帯板部分の断面が略コ字状に形成されている。さらに、先端部の外側面が下方に向かって漸次幅狭となるテーパ状に形成されている。
【００２８】
また、この係止部材３は、図１１及び図１２に示すように、平面（上面）内側に、上記した矩形状孔２ｂと嵌合される嵌合凸部３ａが設けられ、側面内側には、スライド溝２ｃと係合されるボス状の係止凸部３ｂが形成されている。
【００２９】
この嵌合凸部３ａは、図１２に示すように、先部が外方に向かって傾斜して形成され、この先部間の距離が矩形状孔２ｂ間の距離と略同じなっていると共に、嵌合凸部３ａの基部間の距離が、矩形状孔２ｂ間の距離より僅かに短くなるように形成されている。
【００３０】
また係止凸部３ｂは、上記したスライド溝２ｃの幅広状の上部内側に、この係止凸部３ｂが当接するような幅方向の配設位置でもって突設されると共に、前側ケース２１と後側ケース２２とを閉じて当該係止部材３をガイド凹部２ａに係合させた際、スライド溝２ｃの下部に位置するような所要位置に設けられている。
【００３１】
さらに、この係止部材３は、対向する先端部近傍の双方の内側から外方に向かって突出された略コ字状の係止爪３ｃが垂設され、図１３及び図１４に示すように、上記した凹部２ｅに係止爪３ｃの先部が掛止めされるようになっている。
【００３２】
次に、以上のように構成された実施の形態１にかかる電子機器筐体１を用いたミュージックプレイヤーAの組立手順を説明する。
【００３３】
まず、ケース本体２にミュージックプレイヤーAを実現するための回路基板や端子、液晶パネル等を実装する。
【００３４】
実装が完了したら、ヒンジ２３を介して前側ケース２１と後側ケース２２と折り畳む。このとき、前側ケース２１と後側ケース２２との衝合面に形成された凹状段差面２１ａと凸状段差面２２ａとが嵌合すると同時に、第１リブ２１ｂと第２リブ２２ｂとでプリント基板Wを挟持する。
【００３５】
次いで係止部材３を僅かに広げ、係止爪３ｃを係止孔２ｄに挿入する。このとき、係止爪３ｃを係止孔２ｄに挿入すると同時に、係止凸部３ｂとスライド溝２ｃの幅広状の上部との位置が合い、係止凸部３ｂがその上部に入り込む。
【００３６】
この状態で、仮固定したケース本体２の上部から、ガイド凹部２ａに沿うように、かつ、係止爪３ｃの先部が凹部２ｅに掛止めするまで、係止部材３をスライドするように押し込む。
【００３７】
このとき、係止凸部３ｂは、スライド溝２ｃに形成した傾斜部に沿って幅広状の上部から幅狭の下部へ移動するが、対向する幅狭の下部間の距離が、対向する幅広の上部間の距離より長いため、幅広の上部間の距離に合わせた固定幅（対向する係止凸部３ｂ間の長さ）の係止凸部３ｂによって、前側ケース２１と後側ケース２２とを引き寄せるように作用する（内方へ向かって前側ケース２１と後側ケース２２とを付勢する）。
【００３８】
そして、この係止凸部３ｂとスライド溝２ｃの下部との係合と同時に、係止部材３の平面内側に設けた嵌合凸部３ａが矩形状孔２ｂと嵌合（この嵌合凸部３ａが矩形状孔２ｂに入り込むときも、前側ケース２１と後側ケース２２とを引き寄せるように作用する）し、係止爪３ｃの先部が凹部２ｅに掛止めして、前側ケース２１と後側ケース２２とを衝合して形成した衝合ラインＣを被装するように、前側ケース２１と後側ケース２２とが係止部材３で接続（本固定）する。以上で組立が完了する。
【００３９】
このようにして、実施の形態１にかかる電子機器筐体１は、係止部材３を用いて前側ケース２１と後側ケース２２とを接続するが、上記したように、係止爪３ｃの先部が凹部２ｅに掛止めする構成にしてあることから、基本的に分解ができないようになっている。
【００４０】
特に、音楽コンテンツが記録されるHDDや半導体メモリ等の記録媒体を備えたミュージックプレイヤーAの場合、ユーザーによる分解ができないようにしたほうが、著作権保護の観点から有効であるが、しかしながら、ミュージックプレイヤーAを提供する側においては、修理や組立のことも考慮しなければならない。
【００４１】
そこで、図１３及び図１４に示すように、係止部材３の先端部と、係止爪３ｃとの間を貫くように後側ケース２２に貫通孔２ｆを設け、係止爪３ｃより内側に規制用ピン２ｇを前側ケース２１内または後側ケース２２内の何れか一方から突出させておく。そして、貫通孔２ｆに分解用のロッドBを差し込んで内方へ傾けることにより、係止爪３ｃの先部と凹部２ｅとの掛止め係合が解除して、係止部材３がケース本体２から外れるようにすることが好ましい。
【００４２】
本実施の形態では、後側ケース２２の外面から貫通孔２ｆを設けているが、他の例として、後側ケース２２に電池収納部（図示せず）を凹設しておき、その電池収納部内に設けることが極めて好適である。さらに、この貫通孔２ｆに分解禁止のシールを貼付（再貼付不可能なシール）したり、貫通孔２ｆに容易に貫通可能な樹脂を充填しておき、ユーザーによる分解を禁じたり、仮にユーザーによる分解が行われても、そのことが認知できるようにすることが好ましい。
【００４３】
なお、上記した規制用ピン２ｇは、貫通孔２ｆに分解用のロッドBを差し込んで内方へ傾ける際、傾け過ぎによる係止爪３ｃの破損を防止するために設けてある。
【００４４】
以上、実施の形態１にかかる電子機器筐体１によれば、内部構成部品類を、ケース本体２に実装した後、ヒンジ２３を介して閉じる構成のため、ビス等の締結部品による固定が不要となり、作業の容易化と共に、工具を使わない工具レス工程が実現する。したがって、部品・労務費の削減が可能になる。
【００４５】
また、ピン等の他の構成部材を用いずに、前側ケース２１と後側ケース２２とヒンジ２３とが合成樹脂部材で一体成形して一つの構成部材としたことにより、少なくとも３つ以上の構成部材からなっていた従来の電子機器筐体１より、生産コスト・物流・管理コストの低減を図ることができる。
【００４６】
また、前側ケース２１と後側ケース２２とを衝合して形成した衝合ラインＣを被装するように、前側ケース２１と後側ケース２２とが係止部材３で接続（本固定）する構成にしたから、筐体の高剛性化を期待できる。
【００４７】
（実施の形態２）
実施の形態２にかかる電子機器筐体１は、実施の形態１で例示したケース本体２の前側ケース２１と後側ケース２２との衝合面に、防水用のシール部材４を挟装させた例であり、その他の構成は、実施の形態１にかかる電子機器筐体１と同一であるため詳細な説明は省略する。
【００４８】
実施の形態２にかかる電子機器筐体１は、図１５及び図１７に示すように、前側ケース２１と後側ケース２２双方の衝合面に環状溝２ｈが周設されている。さらにこの環状溝２ｈは、ケース本体２平面（上面）の衝合ラインＣ上に配設されるスライドボタンａ３（電源スイッチ）やヘッドホン端子ａ４、ケース本体２底面の衝合ラインＣ上に配設されるＵＳＢ端子ａ５やライン入力端子ａ６等を設けるための接続端子用孔２ｋ（前側ケース２１と後側ケース２２夫々では半割状である）の周囲を取り囲むように設けられている。
【００４９】
すなわち、この環状溝２ｈは、途中で途切れることなく、前側ケース２１と後側ケース２２双方の衝合面に環状溝２ｈが周設されている。
【００５０】
一方、シール部材４は、ゴム材から構成され、前側ケース２１と後側ケース２２双方の衝合面に周設された環状溝２ｈに対応するように、かつ、図１６に示すように、接続端子用孔２ｋの周囲を取り囲むように一体に成形されており、上記した環状溝２ｈに収納されて、前側ケース２１と後側ケース２２との衝合面に挟装されている。
【００５１】
このように構成された実施の形態２にかかる電子機器筐体１は、衝合面の他、接続端子用孔２ｋの周囲をも一体にシールすることから、漏水する惧れのある個所がなくなり、安定した防水機能を発揮できる。
【００５２】
以上、具体的な実施の形態について説明したが、本発明は上記実施の形態に限定されず、発明の要旨を変更しない範囲で適宜変更して実施できることは言うまでもない。
【図面の簡単な説明】
【００５３】
【図１】実施の形態１にかかる電子機器筐体を適用したミュージックプレイヤーの正面図である。
【図２】図１における平面図である。
【図３】図１における底面図である。
【図４】図１における右側面図である。
【図５】実施の形態１にかかる電子機器筐体のケース本体を開いた状態の内部側正面図である。
【図６】図５における平面図である。
【図７】図５における左側面図である。
【図８】図５における横断平面図である。
【図９】閉じた状態のケース本体の平面図である。
【図１０】閉じた状態のケース本体の右側面図である。
【図１１】係止部材の正面図である。
【図１２】係止部材の中央縦断側面図である。
【図１３】一部切欠したケース本体の正面図である。
【図１４】係止爪と凹部との解除状態を示す説明図である。
【図１５】実施の形態２にかかる電子機器筐体を適用したミュージックプレイヤーの一部切欠した正面図である。
【図１６】図１５における平面図である。
【図１７】図１５における一部省略した横断拡大平面図である。
【符号の説明】
【００５４】
A  ミュージックプレイヤー
Ｃ  衝合ライン
１  電子機器筐体
２  ケース本体
２ａ  ガイド凹部
２ｂ  矩形状孔
２ｃ  スライド溝
２ｄ  係止孔
２ｅ  凹部
２ｆ  貫通孔
２ｇ  規制用ピン
２ｈ  環状溝
２ｋ  接続端子用孔
２１  前側ケース
２１ａ  凹状段差面
２１ｂ  第１リブ
２２  後側ケース
２２ａ  凸状段差面
２２ｂ  第２リブ
２３  ヒンジ
３  係止部材
３ａ  嵌合凸部
３ｂ  係止凸部
３ｃ  係止爪
４  シール部材
【図１】
0004584817.tif 000002
【図２】
0004584817.tif 000003
【図３】
0004584817.tif 000004
【図４】
0004584817.tif 000005
【図５】
0004584817.tif 000006
【図６】
0004584817.tif 000007
【図７】
0004584817.tif 000008
【図８】
0004584817.tif 000009
【図９】
0004584817.tif 000010
【図１０】
0004584817.tif 000011
【図１１】
0004584817.tif 000012
【図１２】
0004584817.tif 000013
【図１３】
0004584817.tif 000014
【図１４】
0004584817.tif 000015
【図１５】
0004584817.tif 000016
【図１６】
0004584817.tif 000017
【図１７】
0004584817.tif 000018